【事件の表示】
　特許第３０４７１９８号「ゴルフボール」の請求項１ないし４に係る特許に対する特許異議の申立てについて、次のとおり決定する。
【結　論】
　訂正を認める。
　特許第３０４７１９８号の請求項１ないし３に係る特許を維持する。
【理　由】
１.手続の経緯
　特許第３０４７１９８号の請求項１ないし４に係る発明は、平成３年１２月２６日に特許出願され、平成１２年３月２４日にその特許権の設定登録がされ、その後、荒井純子より特許異議の申立てがなされ、取消しの理由が通知され、その指定期間内である平成１３年４月２４日に訂正請求がなされたものである。
　
２.訂正の適否
2-1.訂正の内容
(1)訂正事項ａ
　特許権設定登録時の明細書（以下、「特許明細書」という。）の特許請求の範囲の請求項１において、
「傾方切頭立方８面体」を、「斜方切頭立方８面体」と訂正する。
(2)訂正事項ｂ
　特許明細書の特許請求の範囲の請求項４を削除する。
(3)訂正事項ｃ
　特許明細書の発明の詳細な説明の欄の段落【００１０】に記載の「傾方切頭立方８面体」を、「斜方切頭立方８面体」と訂正する。
(4)訂正事項ｄ
　特許明細書の発明の詳細な説明の欄の段落【００１０】に記載の「ディンプル配列を構成したを要旨とするものである。」を、「ディンプル配列を構成したことを要旨とするものである。」と訂正する。
(5)訂正事項ｅ
　特許明細書の発明の詳細な説明の欄の段落【００２０】における「図８に、この発明の別の実施例・・・説明は省略する。」との記載を、削除する。
(6)訂正事項ｆ
　特許明細書の【図面の簡単な説明】における「【図８】・・・である。」との記載を、削除する。
(7)訂正事項ｇ
　図面【図８】を、削除する。
　
2-2.訂正の目的の適否、新規事項の有無及び拡張・変更の存否
　上記訂正事項ａ、ｃは、「傾方切頭立方８面体」という明らかな誤記を、「斜方切頭立方８面体」という正しい用語に訂正することを目的とするものであり、
　上記訂正事項ｂは、特許請求の範囲の請求項４を削除するものであるから、特許請求の範囲の減縮を目的とするものであり、
　上記訂正事項ｄは、脱字があったために不明瞭であった記載を明瞭に訂正するものであるから、明りようでない記載の釈明を目的とするものであり、
　上記訂正事項ｅ〜ｇは、上記訂正事項ｂにより訂正された特許請求の範囲の記載と、発明の詳細な説明及び図面の記載との整合をはかるためのものであるから、明りようでない記載の釈明を目的とするものである。
　また、上記訂正事項a〜ｇは、願書に添付した明細書又は図面に記載した事項の範囲内の訂正であり、特許請求の範囲を拡張し又は変更するものでもない。
　
2-3.むすび
　以上のとおりであるから、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。
　
３.特許異議申し立て
3-1.本件請求項１ないし３に係る発明
　上記「２.訂正の適否」で示したように上記訂正が認められるから、本件請求項１ないし３に係る発明は、上記訂正請求に係る訂正明細書の特許請求の範囲の請求項１ないし３に記載された次のとおりのものである。
「　【請求項１】　斜方切頭立方８面体で分割される仮想球面区画部が６個の正８角形、８個の正６角形、及び１２個の正４角形から構成される球面に、複数のディンプルを有するゴルフボールであって、前記ディンプルのいずれとも交差せずに隣接する正８角形と正４角形とを左右対称に分割してゴルフボールを２分割可能な稜線を３本有し、この３本の稜線で分割される８分割面はそれぞれ同一配列のディンプルを備え、かつ同稜線に対して左右対称となるようにディンプル配列を構成したことを特徴とするゴルフボール。
　　【請求項２】　前記正８角形内にはそれぞれ２８個のディンプルが配置され、前記正６角形内にはそれぞれ１９個のディンプルが配置され、前記正４角形内にはそれぞれ４個のディンプルが配置された請求項１記載のゴルフボール。
　　【請求項３】　前記正８角形内には４．０mm径のディンプルが８個と３．７mm径のディンプルが２０個配置され、前記正６角形内には３．７mm径のディンプルのみが配置され、前記正４角形内には４．０mm径のディンプルのみが配置された請求項２記載のゴルフボール。」
　
3-2.申立ての理由の概要
（理由１）
　異議申立人は、下記の証拠方法及び参考図１、３、４を提出し、以下のように主張する。
　本件特許明細書の請求項１〜３に係る発明は、甲第１号証に記載された発明であり、本件特許明細書の請求項１に係る発明は、甲第２又は３号証に記載された発明であるから、当該発明に係る特許は、特許法第２９条第１項第３号の規定に違反してなされたものであり、
　本件特許明細書の請求項１〜４に係る発明は、甲第１〜３号証に記載された発明に基いて、当業者が容易に発明をすることができたものであるから、当該発明に係る特許は、特許法第２９条第２項の規定に違反してなされたものである。
　　　　　　　　　　　　　　　　記
甲第１号証：特開昭６４−１５０７２号公報（以下「刊行物１」という。）
甲第２号証：特開平２−１５２４７６号公報（以下「刊行物２」という。）
甲第３号証：特開平２−２１１１８０号公報（以下「刊行物３」という。）
参考図１：刊行物１の第６、６Ａ図の拡大コピー
参考図３：刊行物２の第４、５図の拡大コピー
参考図４：刊行物３の第２図の拡大コピー
　
（理由２）
　異議申立人は、本件発明は、特許法第３６条第４，５項に規定する要件を満たしていないとして、参考図２（本件特許図面【図３】の拡大コピー）を提出し、以下のように主張する。
『本件明細書には、本件発明の効果として、
「正８角形内、正６角形内及び正４角形内に配置されるディンプルの数、及び大きさを限定することにより、ディンプル数が少ない割りに極めて高いディンプル面積占有率を得ることが出来、優れたシンメトリー性と相まって、ゴルフボールの飛距離を十分に保ってゴルファーが弾道のイメージを描きながら安心してスウィングすることが出来るという効果がある。」
と記載されていることからも明らかなように、ボール表面を等辺の正８角形内、正６角形内及び正４角形で分割し、これらの内部にディンプルを配置することは本件発明の必須構成要件であると認められる。
　しかしながら、本件明細書の図１〜３、特に参考図２に示した図３の中央の８角形は明らかに等辺ではなく、このことは８角形内に配置されている各辺のディンプル６ｂの配置状態からみても明らかである。また、図２，３は図１のゴルフボールの分割線を３５゜、９０゜回転させた同一のゴルフボールであり、図８は図１のゴルフボールの上半球と下半球とを分割線に沿って４５゜ずらしたゴルフボールであり、図１〜３，８のゴルフボールは正８角形でない場合を広く含み、本件請求項１の必須構成要件を満たさない比較例に該当する。
　それ故、本件明細書には実施例が一つも存在しないことになり、本件請求項１の発明の効果を明らかにし得ないと共に、請求項の記載と発明の詳細な説明の記載とに矛盾があり、記載不備に該当する。』
　
3-3.各刊行物に記載された事項
　（刊行物１）
「１）複数のディンプルを備えた球状表面、および該ディンプルのいずれとも交差しない３本の分割線を有するゴルフボールであって、前記ディンプルが前記球状表面を８個の六角形および２４個の二等辺三角形に分割することによって配置され、前記８個の六角形および２４個の二等辺三角形が平頭八面体を前記球状表面内にしるすことによって形成され、前記８個の六角形が前記平頭八面体の８個の六角形に相当し、前記２４個の二等辺三角形が前記平頭八面体の６個の正方形の面を二等分することによって形成される２４個の二等辺三角形に相当し、前記３本の分割線が前記６個の正方形の面の二等分線に相当し，前記ディンプルが前記分割線のいずれとも交差しないように前記２４個の二等辺三角形内に配されることを特徴とするゴルフボール。」（特許請求の範囲）
「本願発明はゴルフボールに関し、特に３本の分割線、および分割線の一方の側のディンプルパターンが他方の側のディンプルパターンの鏡像となるようにボールの表面全体に一様に配したディンプルを有するゴルフボールに関する。」（第２頁左下欄第３〜７行）
「本願発明は、ゴルフボールを取りかこむ３本の大円路・・・に相当する３本の分割線を有するゴルフボールを提供する。ここで分割線はどのディンプルとも交差せず、分割線の一方の側のディンプルパターンが他方の側のディンプルパターンの鏡像となっている。」（第３頁左上欄第１〜６行）
「第６図はゴルフボール100の投影図である。ディンプル102および103が第２および３図のディンプルパターンを使用して配されている。ディンプル102は直径がほぼ均一であり、約0．149インチ（約0．378ｃｍ）の直径を有する。ディンプル103も直径がほぼ均一であり、約0．154インチ（約0．391ｃｍ）の直径を有する。大円路104および106が示されている。正方形の面107は、第２図に示されているものと同様の４個の二等辺三角形108，110，112，114に分割されている。このようなゴルフボールは368のディンプルを有する。
　本願発明の鏡像ディンプルパターンが、大円路104および108に沿って示されている。列104Ａのディンプルは列104Ｂのディンプルのほぼ鏡像になっており、列106Ａのディンプルは列106Ｂのディンプルのほぼ鏡像になっている。
　三角形108のディンプルパタ一ンが三角形110のディンプルパターンのほぼ鏡像であり、三角形114のディンプルパターンが三角形108のディンプルパターンのほぼ鏡像であることも容易にわかる。このような鏡像が大円路のそれぞれに沿って存在する。
　第６Ａ図は、ゴルフボール100の第６図の位置から紙の平面に向って約90゜回転させた位置における投影図を示している。第６Ａ図において、二等辺三角形108，110，112がゴルフボール100の頂部に配されている。更に第６Ａ図において、大円路104および106、ディンプルの列104Ａ，104Ｂ，106Ａおよび106Ｂが示されている。六角形の面116は、六角形の面116Ａ，116Ｂ，116Ｃおよび正方形の面107，107Ａ，107Ｂに囲まれている。３本目の大円路118も示されている。
　本願発明の鏡像ディンプルパターンが、列118Ａのディンプルと列118Ｂのディンプルを比べることにより明らかである。六角形の面116のディンプルパターンが六角形の面116Ａ，116Ｂ，116Ｃのディンプルパタ−ンとほぼ同様であることも容易にわかり、従って本願発明の鏡像効果を更に示している。」（第４頁左下欄第６行〜第５頁左上欄第４行）
　上記記載及び図面第６、６Ａ図の記載からみて、刊行物１には、
「平頭八面体で分割される仮想球面区画部が８個の六角形、及び２４個の二等辺三角形から構成される球面に、複数のディンプルを有するゴルフボールであって、前記ディンプルのいずれとも交差せずにゴルフボールを２分割可能な大円路１０４，１０６，１１８を３本有し、この３本の大円路で分割される８分割面はそれぞれ同一配列のディンプルを備え、かつ同大円路に対して左右対称となるようにディンプル配列を構成したゴルフボール。」の発明が記載されていると認められる。
　（刊行物２）
「１．３種以上のディンプルを有するゴルフボールにおいて、ボール表面上に互いに直交する３本の仮想大円線を画いてボール表面をこれら大円線により囲まれる８個の球面正三角形に分割し、更にこれら球面正三角形それぞれにその３つの頂点からそれぞれ対辺に仮想垂線を下して該球面正三角形を６等分することにより、ボール表面を球面直角三角形で４８等分すると共に、ディンプルを互いに隣接する上記球面直角三角形にその共通辺を対称軸とする線対称となるように、かつ上記大円線上にディンプルが交叉しないように配設したことを特徴とするゴルフボール。」（特許請求の範囲）
「本発明は、ディンプル配列を改良したゴルフボールに関し、更に詳述すると、空気力学的対称性に優れ、安定した飛行特性を示すゴルフボールに関する。」（第１頁左下欄下から第２行〜右下欄第２行）
　上記記載及び図面第４、５図の記載からみて、刊行物２には、
「仮想球面区画部が４８個の球面直角三角形から構成される球面に、複数のディンプルを有するゴルフボールであって、前記ディンプルのいずれとも交差せずにゴルフボールを２分割可能な大円線２，２，２を３本有し、この３本の大円線で分割される８分割面はそれぞれ同一配列のディンプルを備え、かつ同大円線に対して左右対称となるようにディンプル配列を構成したゴルフボール。」の発明が記載されていると認められる。
　（刊行物３）
「１．一般的形状の球（１）の周囲表面（２）を有し、前記周囲表面（２）に配置された複数のディムプル（６９）を有し、前記球（１）に内接する立方体（４）により位置を決定した点（５〜１２，２５〜３６）に一致して前記周囲表面（２）の点に相互に関係させ、前記球（１）の中心（４９）に集中する円周（５６〜６１，６５〜６７）の弧に沿って前記周囲表面（２）を細分することにより少なくとも基本的な円周表面（６８）の内側に範囲を画定し、少なくとも１つの繰返し模様に従って前記周囲表面（２）の上に分布している前記ディムプル（６９）を有するゴルフボ−ルの細分することは
　前記立方体（４）の各々の２つの完全に反対位置にある稜（１３〜２４）のそれぞれの中点を通過する軸（５１〜５５）上に集中される６つの赤道円周（５６〜６１）と、その各々が前記立方体（４）の２つの完全に反対位置にある面（３７〜４２）のそれぞれの中心を通過する軸（６２〜６４）の上に集中し、前記立方体（４）の４つの互に平行な稜（１３〜２４）のそれぞれの中点（２５〜２６）の前記球（１）の上への半径方向の投影を経て通過する３つの赤道円周（６５〜６７）とに沿って球面直角三角形に４８個の同一な基本的な表面（６８）の範囲を画定する方法で実行することを特徴とするゴルフボ−ル。」（特許請求の範囲）
「本発明の目的は打撃に対してゴルフボールの方向を出来るかぎり結果的に異ならないような特性を得るためにディムプルの分布の均一性を増加させるため球の内部に内接する立方体からこの表面に、より細かい細分を提案して、この不便さを矯正することである。」（第３頁左上欄第７〜１２行）
　上記記載及び図面第２図の記載からみて、刊行物３には、
「仮想球面区画部が４８個の球面直角三角形から構成される球面に、複数のディンプルを有するゴルフボールであって、前記ディンプルのいずれとも交差せずにゴルフボールを２分割可能な赤道円周（６５〜６７）を３本有し、この３本の赤道円周（６５〜６７）で分割される８分割面はそれぞれ同一配列のディンプルを備え、かつ同赤道円周（６５〜６７）に対して左右対称となるようにディンプル配列を構成したゴルフボール。」の発明が記載されていると認められる。
　
3-4.対比・判断
（理由１について）
　本件請求項１に係る発明と上記刊行物１〜３に記載された発明を対比すると、
　上記刊行物１に記載の「大円路」、上記刊行物２に記載の「大円線」、上記刊行物３に記載の「赤道円周」は、本件請求項１に係る発明の「稜線」に相当するから、
　上記刊行物１〜３には、本件請求項１に係る発明の構成要件である、「ディンプルのいずれとも交差せずにゴルフボールを２分割可能な稜線を３本有し、この３本の稜線で分割される８分割面はそれぞれ同一配列のディンプルを備え、かつ同稜線に対して左右対称となるようにディンプル配列を構成した」点が記載されているが、
　本件請求項１に係る発明の構成要件である、「斜方切頭立方８面体で分割される仮想球面区画部が６個の正８角形、８個の正６角形、及び１２個の正４角形から構成される球面に、複数のディンプルを有するゴルフボール」である点は、上記刊行物１〜３のいずれにも記載されておらず示唆もされていない。
　そして、本件請求項１係る発明は、上記「斜方切頭立方８面体で分割される仮想球面区画部が６個の正８角形、８個の正６角形、及び１２個の正４角形から構成される球面に、複数のディンプルを有するゴルフボール」である点を前提として、稜線を、「隣接する正８角形と正４角形とを左右対称に分割してゴルフボールを２分割可能」に設けるものであり、全体として、「相互に対称となっているディンプル６の配列面の数を多くしてディンプル６の配列の方向性を排除するため、ディンプル配列のシンメトリー性を極めて良好に保つことが出来る」（本件特許明細書段落【００２１】）という効果を奏するものである。
　したがって、「斜方切頭立方８面体で分割される仮想球面区画部が６個の正８角形、８個の正６角形、及び１２個の正４角形から構成される球面に、複数のディンプルを有するゴルフボール」である点が、上記刊行物１〜３のいずれにも記載されておらず示唆もされていない以上、本件請求項１に係る発明が、上記刊行物１〜３に記載された発明であるとも、上記刊行物１〜３に記載された発明に基いて当業者が容易に発明をすることができたものであるともいうことはできない。
　また、本件請求項２に係る発明は、上記本件請求項１に係る発明を引用するものであり、本件請求項３に係る発明は、上記本件請求項２に係る発明を引用するものであるから、本件請求項２、３に係る発明は、上記請求項１に係る発明と同じ理由により、上記刊行物１に記載された発明であるとも、上記刊行物１〜３に記載された発明に基いて当業者が容易に発明をすることができたものであるともいうことはできない。
　なお、刊行物１、２、３の図面に記載のゴルフボール表面は、正８角形、正６角形及び正４角形で分割されていないところ、異議申立人は、参考図１、３、４において、刊行物１、２、３の図面に記載のゴルフボール表面に、６個の８角形、８個の６角形、及び１２個の４角形からなる仮想球面区画部、及び、隣接する８角形と４角形とを左右対称に分割する線（稜線）を描き込んだ結果としての刊行物１、２、３に記載された発明は、本件請求項１に係る発明と本質的な差異は認められない、と主張する。
　しかし、仮想球面区画部はゴルフボール表面のディンプルの配列を設定するためのものであり、仮想球面区画部の形状と数、仮想球面区画部と稜線の位置関係が異なると、ディンプルの配列は異なるから、上記刊行物１、２、３に記載された発明は、本件請求項１に係る発明と本質的な差異があると認められ、上記異議申立人の主張は採用できない。
　
（理由２について）
　本件請求項１に係る発明は、「斜方切頭立方８面体で分割される仮想球面区画部が６個の正８角形、８個の正６角形、及び１２個の正４角形から構成される球面に、複数のディンプルを有するゴルフボール」であることを構成要件とするものであり、「斜方切頭立方８面体」が、６個の正８角形、８個の正６角形、及び１２個の正４角形の面から形成されるものであることは周知であるから、本件特許図面に記載されたゴルフボール表面の仮想球面区画部に、正８角形でないものが含まれているからといって、実施例の記載がないというものではない。
　そして、本件請求項１に係る発明は、上記構成要件に加えて、「ディンプルのいずれとも交差せずに隣接する正８角形と正４角形とを左右対称に分割してゴルフボールを２分割可能な稜線を３本有し、この３本の稜線で分割される８分割面はそれぞれ同一配列のディンプルを備え、かつ同稜線に対して左右対称となるようにディンプル配列を構成した」点を構成要件とするものであり、このような構成要件により、本件請求項１に係る発明は、「相互に対称となっているディンプル６の配列面の数を多くしてディンプル６の配列の方向性を排除するため、ディンプル配列のシンメトリー性を極めて良好に保つことが出来る」（本件特許明細書段落【００２１】）という効果を奏するものである。
　したがって、特許請求の範囲の記載と発明の詳細な説明の記載とに矛盾は認められないから、上記異議申立人の主張は採用できない。
　
3-5.むすび
　以上のとおりであるから、特許異議の申立ての理由によっては本件請求項１ないし３に係る発明についての特許を取り消すことはできない。
　また、他に本件請求項１ないし３に係る発明についての特許を取り消すべき理由を発見しない。
　したがって、本件請求項１ないし３に係る発明についての特許は拒絶の査定をしなければならない特許出願に対してされたものと認めない。
　よって、特許法の一部を改正する法律（平成６年法律第１１６号）附則第１４条の規定に基づく、特許法等の一部を改正する法律の施行に伴う経過措置を定める政令（平成７年政令２０５号）第４条第２項の規定により、結論のとおり決定する。
【異議決定日】
平成１３年５月１７日（２００１．５．１７）
【訂正の要旨】
　本件特許第３０４７１９８号の訂正事項は、以下のとおりである。
（１）訂正事項ａ
　誤記の訂正を目的として、特許請求の範囲の請求項１において、「傾方切頭立方８面体」を、「斜方切頭立方８面体」と訂正する。
（２）訂正事項ｂ
　特許請求の範囲の減縮を目的として、請求項４を削除する。
（３）訂正事項ｃ
　誤記の訂正を目的として、発明の詳細な説明の欄の段落【００１０】に記載の「傾方切頭立方８面体」を、「斜方切頭立方８面体」と訂正する。
（４）訂正事項ｄ
　明りようでない記載の釈明を目的として、発明の詳細な説明の欄の段落【００１０】に記載の「ディンプル配列を構成したを要旨とするものである。」を、「ディンプル配列を構成したことを要旨とするものである。」と訂正する。
（５）訂正事項ｅ
　明りようでない記載の釈明を目的として、発明の詳細な説明の欄の段落【００２０】における「図８に、この発明の別の実施例・・・説明は省略する。」との記載を、削除する。
（６）訂正事項ｆ
　明りようでない記載の釈明を目的として、【図面の簡単な説明】における「【図８】・・・である。」との記載を、削除する。
（７）訂正事項ｇ
　明りようでない記載の釈明を目的として、図面【図８】を、削除する。
（５４）【発明の名称】
ゴルフボール
（５７）【特許請求の範囲】
　【請求項１】　
斜方
　【請求項２】　前記正８角形内にはそれぞれ２８個のディンプルが配置され、前記正６角形内にはそれぞれ１９個のディンプルが配置され、前記正４角形内にはそれぞれ４個のディンプルが配置された請求項１記載のゴルフボール。
　【請求項３】　前記正８角形内には４．０ｍｍ径のディンプルが８個と３．７ｍｍ径のディンプルが２０個配置され、前記正６角形内には３．７ｍｍ径のディンプルのみが配置され、前記正４角形内には４．０ｍｍ径のディンプルのみが配置された請求項２記載のゴルフボール
。
【発明の詳細な説明】
　【０００１】
　【産業上の利用分野】
　この発明はゴルフボールに係わり、更に詳しくは、ゴルフボールの表面に形成されるディンプル配列のシンメトリー性を良好にすると共に、ディンプル成形時のゲート（成形金型に設けられた射出口）及び芯体を支持するサポートピンの配置並びに設計を極めて容易にしたゴルフボールに関するものである。
　【０００２】
　【従来の技術】
　一般に、ゴルフボールは、ゴルフボール表面に形成されるディンプル配列のシンメトリー性が優れ、なおかつディンプル面積占有率（ディンプルの総面積／球の総面積）が大きい程、ゴルフボールの飛距離に良い影響を与えると言われている。
　【０００３】
　ところで、従来採用されているディンプルの配列方法には、正８面体配列、正１２面体配列、正２０面体配列、及び１２−２０面体配列等があり、これらのディンプル配列方法とそれに用いられるディンプルの数及び大きさ等の組み合わせにより、ゴルフボールのディンプル配列の種類は極めて多い。
　例えば、特開昭６０−２３４６７４号公報に記載のゴルフボールにあっては、正２０面体配列が採用され、球面に形成される２０個の球状三角形のそれぞれには同じ数のディンプルが同じ位置となるように配置されている。
　【０００４】
　いずれのディンプルとも交差しない６つの対称軸心を備え、２０個の球状三角形の各々を対称軸心で更に中央の三角形と３つの頂点三角形とからなる４つの小さな三角形に分け、ゴルフボールのシンメトリー性を保ちながら、はげた部分やディンプル無しの部分を少なくして、ディンプル面積占有率が高くなるようにディンプルを配置しようとしている。
　【０００５】
　【発明が解決しようとする問題点】
　しかしながら、上記従来のゴルフボールにあっては、ゴルフボールのシンメトリー性を保ちながら、ディンプル面積占有率を高めることに重点が置かれ過ぎて、ディンプル成形時のゲート及びサポートピンの配置並びに設計の容易性に関しては全く考慮がなされておらず、ゲート及びサポートピンの配置並びに設計が難しいと言う問題があった。
　【０００６】
　即ち、一般にゴルフボールの表面にこれらのディンプル配列を成形するには、２つ割りの成形金型内にゴルフボールの芯体を挿入し、成形金型の所定位置に配置されたサポートピンにより芯体と成形金型との隙間が均等になるように芯体を保持する。
　その後、成形金型の合わせ目（分割線）に沿ってディンプル配列に適するように設けられた複数のゲートよりゴム材料を成形金型内に射出すると共に、前記サポートピンを引き抜き、芯体の表面にディンプル配列を成形している。
　【０００７】
　しかし、シンメトリー性及びディンプル面積占有率を高めるためにディンプル相互の間隔は密になり、サポートピンはディンプル間の稜線部に配置することが後の表面を修正研磨する工程を考える上でも好ましいが、それは困難であり、その結果サポートピンはディンプル部に配置されることとなり、従ってサポートピンの先端の形状が複雑となり、また射出時の圧力に対して芯体を均等に支持する配置を見つけ出すのが非常に困難であると言う問題が生じる。
　【０００８】
　また、分割線上に配置されたゲートもディンプル間隔の密な部分に設けられるため、成形金型内に均一にゴム材料を充填するためには、ゲートの数、配置、及び上下の成形金型に形成されるゲートの形状等が制限され、設計するのが極めて難しいと言う問題があった。
　また、サポートピンがディンプル間の稜線部に配置されるゴルフボールにあっては、ディンプル面積占有率が極めて低いと言う問題があった。
　【０００９】
　この発明は、かかる従来の課題に着目して案出されたもので、ゴルフボールの表面に形成されるディンプル配列の良好なシンメトリー性を保ちながら、成形時のサポートピン及びゲートの配置を容易にして、設計におけるサポートピン及びゲートの自由度を大きくすることが出来、またディンプル数が少ない割りにディンプル面積占有率を著しく高めることが出来るゴルフボールを提供することを目的とするものである。
　【００１０】
　【問題を解決するための手段】
　この発明は、上記目的を達成するために、
斜方
こと
　【００１１】
　また前記正８角形内にはそれぞれ２８個のディンプルが配置され、前記正６角形内にはそれぞれ１９個のディンプルが配置され、前記正４角形内にはそれぞれ４個のディンプルが配置され、更に前記正８角形内には４．０ｍｍ径のディンプルが８個と３．７ｍｍ径のディンプルが２０個配置され、前記正６角形内には３．７ｍｍ径のディンプルのみが配置され、前記正４角形内には４．０ｍｍ径のディンプルのみが配置されたことを要旨とするものである。
　【００１２】
　【発明の作用】
　この発明は上記のように構成され、ディンプルのいずれとも交差せずに隣接する正８角形と正４角形とを左右対称に分割してゴルフボールを２分割可能な稜線を３本有し、この３本の稜線で分割される８分割面はそれぞれ同一配列のディンプルを備え、かつ同稜線に対して左右対称となるようにディンプル配列を構成したので、相互に対称となっているディンプルの配列面の数を多くすることが出来、ディンプルの配列の方向性を排除してディンプル配列のシンメトリー性を極めて良好に保つことが出来ると共に、成形時のサポートピン及びゲートがディンプル相互の間隔が粗である正８角形及び正４角形上に位置するため、サポートピンにあってはその配置並びに設計を容易にすることが出来、ゲートにあっては成形金型の分割線上にディンプルの基本配列上から左右同数で、かつ略等間隔に配置することが容易に出来、またゲートの断面形状を上下の成形金型で同一形状にすることが出来、ゲートの設計における自由度を著しく大きくすることが出来る。
　また、前記正８角形内、正６角形内及び正４角形内に配置されるディンプルの数、及び大きさを限定することにより、ディンプル数が少ない割りに極めて高いディンプル面積占有率を得ることが出来、ゴルフボールの飛距離を十分に保つことが出来る。
　【００１３】
　【発明の実施例】
　以下、添付図面に基づいて、この発明の実施例を説明する。
図１はこの発明における斜方切頭立方８面体を基本形とするディンプル配列を有するゴルフボールの正面図を示し、図２及び図３は、図１のゴルフボールの分割線をそれぞれ３５°、９０°回転したゴルフボールの斜視図、及び平面図を示している。
　【００１４】
　ゴルフボール１は、その球面２を斜方切頭立方８面体で分割される仮想球面区画部である６個の正８角形３と、８個の正６角形４と、１２個の正４角形５とから構成され、正８角形３の各辺に正６角形４と正４角形５とが交互に隣接している。
　前記球面２には、複数のディンプル６が設けられ、またこのディンプル６のいずれとも交差せずに隣接する正８角形３と正４角形５との中央を通り、ゴルフボール１を２分割可能な稜線７（対称軸線）を３本具備し、しかもこの３本の稜線７により分割される８分割面には、ディンプル６がそれぞれ同一配列となるように配置され、かつ同稜線７に対して左右対称となるように配列されている。
　【００１５】
　このようにディンプル６を配置することにより、相互に対称となっているディンプル６の配列面の数を多くすることが出来、ディンプル６の配列の方向性を排除してシンメトリー性に優れたディンプル配列を有するゴルフボール１とすることが出来るのである。
　また前記稜線７の１本が分割線となるため、成形時にゴルフボール１の芯体１０を支持するサポートピン８、及び成形金型９の合わせ目（分割線）に沿って設けられるゲート１２（ゴム材料射出口）が、円を満偏なく並べた場合幾何学上粗となる正８角形及び正４角形と面する位置に配置されるため、サポートピン８及びゲート１２の配置並びに設計を容易にすることが出来る（図４〜図７）。
　【００１６】
　即ち、サポートピン８にあっては、図４に示すように、２つ割りの成形金型９に挿入された芯体１０の、ディンプル６の配列が粗である正８角形３が設けられる上下の両極１１ａ，１１ｂにサポートピン８が配置されるため、球面２の稜線部を均等に支持することが容易であり、ディンプル６の部分を支持しないためサポートピン８の設計も容易となる。
　【００１７】
　またゲート１２にあっては、ディンプル６の配列が粗である正８角形３及び正４角形５に面するように配置することが出来るので、ゴルフボール１の芯体１０が挿入された２つ割りの成形金型９の分割線に沿ってランナー１３を介して配置されるゲート１２を、図５〜図７に示すように、ディンプル６の基本配列上から左右各同数で、かつ略等間隔に配置することが容易に出来、しかもゲート１２の数も任意に設けることが可能である。またゲート１２の断面形状を上下の成形金型９で同一形状にすることが出来、ゲート１２の大きさの自由度も大にすることが可能であり、ゲート１２の配置並びに設計を大幅に自由度を持たせて容易にすることが出来るのである。
　【００１８】
　以下に上記ゴルフボール１のディンプル６の配列の好ましい１例を示す。
前記各正８角形３内には２８個のディンプル６を配置し、各正６角形内には１９個のディンプル６を配置し、各正４角形内には４個のディンプル６を配置し、総計３６８個のディンプルを配置する。
　そして、前記ディンプル６は２種類の異なった径のディンプル６ａ，６ｂを有する。小径のディンプル６ａは３．７ｍｍの径を有し、大径のディンプル６ｂは４．０ｍｍの径を有し、正８角形３内には２種類のディンプル６ａ，６ｂが配置され、正６角形４内には小径のディンプル６ａのみが配置され、正４角形５内には大径のディンプル６ｂのみが配置されている。
　【００１９】
　正８角形３内の２８個のディンプル６の内８個を大径のディンプル６ｂとし、その配置は正８角形３内の中心位置に置かれた４個の小径ディンプル６ａの外側に配列する８個のディンプル６を大径ディンプル６ｂとする。従って、大径ディンプル６ｂは正８角形３内に４８個、正４角形５内に４８個、総計９６個配置される。
　【００２０】
　また、分割線とディンプルエッジの最小距離を０．１７４ｍｍとする。
　その結果、ディンプル面積占有率は７１．２５％となり、ディンプル総数３６８個というディンプル数が少ない割りにディンプル面積占有率を大幅に高くすることが出来る
。
　【００２１】
　【発明の効果】
　以上のように実施しえるこの発明のゴルフボールは、ディンプルのいずれとも交差せずに隣接する正８角形と正４角形とを左右対称に分割してゴルフボールを２分割可能な稜線を３本有し、この３本の稜線で分割される８分割面はそれぞれ同一配列のディンプルを備え、かつ同稜線に対して左右対称となるようにディンプル配列を構成したので、相互に対称となっているディンプル６の配列面の数を多くしてディンプル６の配列の方向性を排除するため、ディンプル配列のシンメトリー性を極めて良好に保つことが出来ると共に、成形時のサポートピン及びゲートがディンプル相互の間隔が粗である正８角形及び正４角形上に位置するため、サポートピンにあってはその配置並びに設計を容易にすることが出来、ゲートにあっては成形金型の分割線上にディンプルの基本配列上から左右同数で、かつ略等間隔に配置することが容易に出来、またゲートの断面形状を上下の成形金型で同一形状にすることが出来、ゲートの設計における自由度を著しく大きくして設計を容易にすることが出来るという効果がある。
　また、正８角形内、正６角形内及び正４角形内に配置されるディンプルの数、及び大きさを限定することにより、ディンプル数が少ない割りに極めて高いディンプル面積占有率を得ることが出来、優れたシンメトリー性と相まって、ゴルフボールの飛距離を十分に保ってゴルファーが弾道のイメージを描きながら安心してスウィングすることが出来るという効果がある。
【図面の簡単な説明】
　【図１】
この発明における斜方切頭立方８面体を基本形とするディンプル配列を有するゴルフボールの正面図である。
　【図２】
図１のゴルフボールの分割線を３５°回転したゴルフボールの斜視図である。
　【図３】
図１のゴルフボールの分割線を９０°回転した平面図である。
　【図４】
成形時のサポートピンの配置を説明する説明図である。
　【図５】
成形時のゲートの配置を説明する説明図である。
　【図６】
成形時のゲートの配置を説明する説明図である。
　【図７】
成形時のゲートの配置を説明する説明図である
。
　【符号の説明】
　１　ゴルフボール　　　　　　　２　球面
　３　正８角形　　　　　　　　　４　正６角形
　５　正４角形　　　　　　　　　６　ディンプル
　７　稜線　　　　　　　　　　　８　サポートピン
　１２　ゲート